(57)【要約】      （修正有）【課題】媒体シートの前縁、後縁を適切に検出できる装置を提供する。【解決手段】装置は、ベルト１１４に接触する導電性要素１１２と、導電性要素に接続された電圧源１１０とを含む。導電性要素は、電圧源から、ベルトを通り、電圧源に戻る電気回路を形成する。導電性要素は、ベルトが導電性要素とベルトとの間で媒体シート１０６を移動させるとき、導電性要素がベルトから離間するように位置決めされている。プロセッサは、（電気回路の電圧が相対的に高い電圧から相対的に低い電圧に変化するとき）ベルト上の媒体シートの前縁を識別し、（電気回路の電圧が相対的に低い電圧から相対的に高い電圧に変化して戻るとき）ベルト上の媒体シートの後縁を識別する。【選択図】図１Ｂ
2019137556.tif 000002
【特許請求の範囲】
【請求項１】
装置であって、
媒体シートを移動することができるベルトと、
前記ベルトに接触する導電性要素であって、前記ベルト上の前記媒体シートによって前記ベルトから離間するように位置決めされた、導電性要素と、
前記導電性要素に接続された電圧源と、
前記電圧源に動作可能に接続された電圧検出器であって、前記電圧源と、前記導電性要素と、前記ベルトと、前記電圧検出器とが、電気回路を形成し、前記電圧検出器が、前記電気回路の電圧を検出することができる、電圧検出器と、
前記電圧検出器に動作可能に接続されたプロセッサであって、前記電気回路の電圧が相対的に高い電圧から相対的に低い電圧に変化したとき、前記ベルト上の前記媒体シートの前縁を識別することができ、前記電気回路の前記電圧が前記相対的に低い電圧から前記相対的に高い電圧に変化して戻るとき、前記ベルト上の前記媒体シートの後縁を識別することができる、プロセッサと、を備える、装置。
【請求項２】
前記相対的に高い電圧が、前記相対的に低い電圧の少なくとも２倍である、請求項１に記載の装置。
【請求項３】
前記媒体シートが前記ベルトの面に接触しており、前記導電性要素が前記ベルトの前記面に接触している、請求項１に記載の装置。
【請求項４】
前記導電性要素は、前記ベルトに隣接した固定位置にあり、前記ベルトが前記導電性要素によって移動するとき、前記導電性要素がベルトとの接触を維持する、請求項１に記載の装置。
【請求項５】
前記プロセッサが、前記前縁および前記後縁に基づき、前記媒体シートの位置を識別することができる、請求項１に記載の装置。
【請求項６】
前記ベルトが導電性真空ベルトを含む、請求項１に記載の装置。
【請求項７】
前記ベルトから前記媒体シートを受け取るように位置決めされた印刷エンジンをさらに含む、請求項１に記載の装置。
【請求項８】
装置であって、
媒体シートを移動することができるベルトと、
前記ベルトと接触する導電性ホイールであって、前記導電性ホイールが前記ベルト上の前記媒体シートによって前記ベルトから離間するように位置決めされている、導電性ホイールと、
前記導電性ホイールに接続された電圧源と、
前記電圧源に動作可能に接続された電圧検出器であって、前記電圧源と、前記導電性ホイールと、前記ベルトと、前記電圧検出器とが、共通接地接続を有する電気回路を形成し、前記電圧検出器が、前記電気回路の電圧を検出することができる、電圧検出器と、
前記電圧検出器に動作可能に接続されたプロセッサであって、前記電気回路の電圧が相対的に高い電圧から相対的に低い電圧に変化したとき、前記ベルト上の前記媒体シートの前縁を識別することができ、前記電気回路の前記電圧が前記相対的に低い電圧から変化して前記相対的に高い電圧に戻るとき、前記ベルト上の前記媒体シートの後縁を識別することができる、プロセッサと、を備える、装置。
【請求項９】
前記相対的に高い電圧が、前記相対的に低い電圧の少なくとも２倍である、請求項８に記載の装置。
【請求項１０】
前記媒体シートが前記ベルトの面に接触しており、前記導電性要素が前記ベルトの前記面に接触している、請求項８に記載の装置。
【請求項１１】
前記導電性要素は、前記ベルトに隣接した固定位置にあり、前記ベルトが前記導電性要素によって移動するとき、前記導電性要素がベルトとの接触を維持する、請求項８に記載の装置。
【請求項１２】
前記プロセッサが、前記前縁および前記後縁に基づき、前記媒体シートの位置を識別することができる、請求項８に記載の装置。
【請求項１３】
前記ベルトが導電性真空ベルトを含む、請求項８に記載の装置。
【請求項１４】
前記ベルトから前記媒体シートを受け取るように位置決めされた印刷エンジンをさらに含む、請求項８に記載の装置。
【請求項１５】
印刷デバイスであって、
印刷エンジンと、
媒体シートを前記印刷エンジンに移動するように位置決めされたベルトと、
前記媒体シートを前記ベルトに供給する媒体貯蔵部と、
前記ベルトと接触する導電性ホイールであって、前記ベルト上の前記媒体シートによって前記ベルトから離間するように位置決めされている、導電性ホイールと、
前記導電性ホイールに接続された電圧源と、
前記電圧源に動作可能に接続された電圧検出器であって、前記電圧源と、前記導電性ホイールと、前記ベルトと、前記電圧検出器とが、共通接地接続を有する電気回路を形成し、前記電圧検出器が、前記電気回路の電圧を検出することができる、電圧検出器と、
前記電圧検出器に動作可能に接続されたプロセッサであって、前記電気回路の電圧が相対的に高い電圧から相対的に低い電圧に変化したとき、前記ベルト上の前記媒体シートの前縁を識別することができ、前記電気回路の前記電圧が前記相対的に低い電圧から変化して前記相対的に高い電圧に戻るとき、前記ベルト上の前記媒体シートの後縁を識別することができる、プロセッサと、を備える、印刷デバイス。
【請求項１６】
前記相対的に高い電圧が前記相対的に低い電圧の少なくとも２倍である、請求項１５に記載の印刷デバイス。
【請求項１７】
前記媒体シートが前記ベルトの面に接触しており、前記導電性要素が前記ベルトの前記面に接触している、請求項１５に記載の印刷デバイス。
【請求項１８】
前記導電性要素が、前記ベルトに隣接した固定位置にあり、前記ベルトが前記導電性要素によって移動するとき、前記導電性要素がベルトとの接触を維持する、請求項１５に記載の印刷デバイス。
【請求項１９】
前記プロセッサが、前記前縁および前記後縁に基づき、前記媒体シートの位置を識別することができる、請求項１５に記載の印刷デバイス。
【請求項２０】
前記ベルトが導電性真空ベルトを含む、請求項１５に記載の印刷デバイス。
【発明の詳細な説明】
【技術分野】
【０００１】
本明細書のシステムおよび方法は、一般的には、媒体シートを搬送するベルト搬送システムおよびシート検出システムに関し、より具体的には、導電性真空ベルトに接触する電気要素を使用するシート検出回路に関する。
【０００２】
真空ベルトは、印刷デバイス（静電プリンタ、インクジェットプリンタなど）内で紙、プラスチック、透明シート、カードストックなどのシートを搬送するためにしばしば使用される。このような真空ベルトは、空気が吸引される真空マニホールドに対して開いている穴、開口、穿孔などを有する。真空マニホールドは、穿孔を通って空気を吸い込み、ベルトが比較的高速で動いてもシートをベルト上に残す。ベルトは、一般に、２つ以上のローラ（１つ以上が駆動可能）の間に支持され、貯蔵領域（例えば、紙トレー）またはシート切断デバイス（材料のウェブを利用する場合）から印刷エンジンにシートを搬送するために使用される。
【０００３】
さらに、プリンタは、媒体シートの前縁および後縁の位置を検出することによって性能を向上させる。例えば、これにより、印刷エンジンは、媒体シート上に印刷を適切に揃えることができ、マーキング材料（例えば、インク、トナーなど）をベルト自体に塗布することを回避することができる。一般的なシートエッジ検出デバイスは、光センサ（例えば、レーザセンサ）または類似のデバイスを含むが、このような光センサは、高価であり、整列／焦点合わせが困難であり、特に、シートとベルトの色または外観の間の差がほとんどない場合、シートエッジを適切に常に検出するとは限らない。
【０００４】
本明細書の装置には、印刷デバイスの構成要素または印刷デバイス全体を含みデバイス、そのようなデバイスは、（他の構成要素の中でも）印刷エンジン、シート供給源、シート供給源から印刷エンジンに媒体シートを移動するように位置決めされたベルト（導電性真空ベルトなど）を含む。
【０００５】
さらに、このようなデバイスは、ベルトに接触する導電性要素（導電性ホイール、接点、リード、アーム、バーなど）を含む。さらに、これらのデバイスは、導電性要素に接続された電圧源を含む。媒体シートはベルトの外面に接触し、導電性要素はベルトの同じ外面に接触する。導電性要素は、ベルトに隣接する固定位置にあり、導電性要素は、ベルトが導電性要素によって動くと、ベルトとの接触を維持する。さらに、これらの導電性要素は、（例えば、ベルトが導電性要素とベルトとの間の媒体シートを動かすとき）ベルト上の媒体シートによってベルトから離間する（一時的に切断されるまたは絶縁される）ように位置決めされている。
【０００６】
また、電圧検出器が電圧源に動作可能に接続されている。電圧源、導電性要素、ベルト、および電圧検出器は、（潜在的に共通接地接続を有する）電気回路を形成する。電圧検出器は、電気回路の電圧を検出することができる。
【０００７】
さらに、プロセッサが電圧検出器に動作可能に接続されている。プロセッサは、（電気回路の電圧が相対的に高い電圧から相対的に低い電圧に変化するとき）ベルト上の媒体シートの前縁を識別し、（電気回路の電圧が相対的に低い電圧から相対的に高い電圧に変化して戻るとき）ベルト上の媒体シートの後縁を識別することができる。相対的に高い電圧は、例えば相対的に低い電圧の少なくとも２倍であり得る。したがって、プロセッサは、これらの前縁および後縁に基づいて媒体シートの位置を識別することができる。
【図面の簡単な説明】
【０００８】
【図１Ａ】本明細書のデバイスのベルトで形成された電気回路の側面概略図である。
【図１Ｂ】本明細書のデバイスのベルトで形成された電気回路の側面概略図である。
【図２Ａ】本明細書のデバイスのベルトで形成された電気回路の側面概略図である。
【図２Ｂ】本明細書のデバイスのベルトで形成された電気回路の側面概略図である。
【図３】本明細書のデバイスのベルトで形成された電気回路の側面概略図である。
【図４】本明細書の例示的な電圧検出器の回路を示す概略図である。
【図５】本明細書のデバイスによって生成される様々な電圧および信号を示すグラフである。
【図６】本明細書のデバイスのベルトで形成された電気回路の側面概略図である。
【図７Ａ】本明細書のデバイスのベルトで形成された電気回路の側面概略図である。
【図７Ｂ】本明細書のデバイスの導電性ホイールの斜視図の概略図である。
【図７Ｃ】本明細書のデバイスの導電性ホイールの斜視図の概略図である。
【図８】本明細書のデバイスを示す概略図である。
【０００９】
上述したように、前縁および後縁を検出するために使用される光学センサは、高価であり、整列／焦点合わせが困難であり、特に、シートとベルトの色または外観の間の差がほとんどない場合、シートエッジを適切に常に検出するとは限らない。
【００１０】
図１Ａの例に示すように、本明細書の装置は、印刷デバイスの構成要素または印刷デバイス全体を含み、そのようなデバイスは、（他の構成要素の中でも）媒体シート１０６をシート供給源から印刷エンジンなどに移動するように位置決めされたベルト１１４（導電性真空または非真空ベルトなど）を有する媒体経路１００を含む。（したがって、マーカ搬送ベルトと呼ばれることもある）。
【００１１】
ベルトは、ローラ１０２（そのうちの１つ以上が駆動される）に支持され、１組以上の付勢された張力ローラ１０４によって張力を維持される。さらに、真空システム／マニホールド１０８は、ベルト１１４内の穿孔を介して空気を吸引し、それによって媒体シートがベルト１１４から滑り落ちるのを防止する。例示的な印刷デバイスのさらなる詳細は、図８を参照して後述する。
【００１２】
例示的なベルト１１４の少なくとも外面は導電性である（ベルト１１４の内面は真空マニホールド１０８に隣接し、ベルト１１４の外面は内面に対向している）。より具体的には、ベルトは複数の層を含むことができ、そのような層のうちの１つ以上は、導電性であっても部分的に導電性であってもよい。例えば、ベルト１１４の外層は、１つ以上の可撓性耐久性構造材料層（布、ポリマー、合成物質、ゴム、織物金属もしくは合金ワイヤ、および／または炭素繊維などを含む）などの複数の材料で形成することができる。ベルト材料自体が導電性でない場合、金属、合金、導電性炭素材料、ポリシリコンなどの１つ以上の導電性材料をベルトに加えて、少なくとも外面を導電性にすることができる。
【００１３】
さらに、図１Ａに示すように、そのような媒体経路１００は、ベルト１１４に接触する導電性要素１１２、１１６（例えば、導電性ホイール、接点、リード線、アーム、バーなどを含み、それらのいくつかについては以下に説明する）を含む。さらに、これらのデバイスは、１つ以上の導電性要素１１２、１１６に接続された電圧源１１０を含む。導電性要素１１２、１１６は、電圧源１１０からベルト１１４を通り、電圧検出器１１８を通り、電圧源１１０に戻る電気回路を形成する（このような回路は潜在的に共通接地を含むことができる）。図１Ｂに示すように、媒体経路１００において、媒体シート１０６はベルト１１４の外面に接触し、導電性要素１１２、１１６はベルト１１４の同じ面に接触する。
【００１４】
導電性要素１１２、１１６はベルト１１４に隣接した固定位置にあり、導電性要素１１２、１１６は、（図１Ａに示すように）  ベルト１１４が導電性要素１１２、１１６によって動くとき、ベルト１１４との接触を維持する。しかし、図１Ｂに示すように、これらの導電性要素１１２、１１６は、（例えば、ベルト１１４が導電性要素１１２、１１６とベルト１１４との間で媒体シート１０６を移動させるとき）ベルト１１４上の媒体シート１０６によってベルト１１４から離間する（一時的に切断されるまたは絶縁される）ように位置決めされている。したがって、図１Ａは閉じた（電気的に連続した）回路１１０〜１１８を示し、図１Ｂは媒体１０６のシートによって遮断された（回路が開いているときは電流が流れない）開回路１１０〜１１８を示す。また、（電圧源１１０に動作可能に接続された）電圧検出器１１８は、電気回路１１０〜１１８の電圧／電流を検出することができる。
【００１５】
図２Ａ〜２Ｂは、図１Ａ〜１Ｂに示されている、同じ媒体経路１００の構造（同じ識別番号は、本開示を通して同じまたは同様の要素を示すために使用される）を示しているが、図２Ａ〜２Ｂの回路が共通接地を介して形成されていることを除く（図面では逆三角形で表される）。したがって、電圧検出器１１８は、電気要素の１つ（１２４）と同様に共通接地に接続される。当業者には理解されるように、共通接地（印刷デバイス全体の様々な箇所に含めることができる）は、直接的または間接的に回路１１０〜１１８を完成させるので、ベルト１１４から電圧検出器１１８に至る直接接続（ワイヤ）１１６と電気的に等価である。
【００１６】
図１Ａ〜１Ｂと同様に、図２Ａは閉じた（電気的に連続した）回路１１０〜１１８を示し、図２Ｂは媒体シート１０６によって遮断された開いた回路１１０〜１１８を示す。同様の方法で、図３は、導電性要素１１６が省略され、その代わりに導電性ローラ１０２および／または張力ローラ１０４の１つ以上が接地されている代替媒体経路１００の構造を示す（図３の電気要素１２６に示される）。
【００１７】
電圧検出器１１８によって検出される電圧は、当該デバイスに適した任意の電圧レベル（例えば、０Ｖ〜１１０Ｖ）とすることができる。また、低い電圧が、導電性要素１１２がベルト１１４と接触しているとき（例えば、閉回路状態）に生じる高い電圧よりも検出可能な程度に低い限り、媒体シート１０６がベルト１１４から導電要素１１２を絶縁するときに電圧検出器１１８によって検出される低い電圧（例えば、開回路状態）は、０Ｖであってもよく、または０Ｖより大きくてもよい。言い換えれば、開回路状態は、必ずしも電圧検出器１１８による０Ｖの読み出しをさせる必要はないが、その代わりに、開回路状態は、単に、測定されるのに十分な大きさの電圧／電流の減少を生じさせなければならない。一例では、低い電圧と高い電圧との間の最小差として、相対的に高い電圧を相対的に低い電圧の少なくとも２倍に設定することができる（例えば、２Ｖに対し４Ｖなど）。
【００１８】
したがって、マーカ搬送ベルト１１４は導電性であり、通過シート１０６によって開放される電気回路１１０〜１１８の一部を構成する。一例では、小さな電圧を印加することができ（〜５Ｖ）、閉回路１１０〜１１８の場合、電圧検出器１１８によって測定される電圧は入力とほぼ同じである。回路１１０〜１１８が紙１０６によって開かれると、電圧検出器１１８は、回路１１０〜１１８の電圧降下（ゼロボルトに落ちる可能性がある）を感知する。このようにして、導電性要素１１２の１つは（通過するシート１０６と連動して）、回路１１０〜１１８を開閉するためのスイッチとして働く。回路１１０〜１１８を完成させる他の導電性要素１１６は、ベルト１１４の最も側部またはベルト１１４の下側のようなシートが通過しないベルトの任意の領域に接触することができる。
【００１９】
前述の開示は、通過シート１０６が電圧検出器１１８によって検出される相対的に低い電圧（不均一なアナログ信号として）を生じることを説明しているが、シートの存在は相対的に高い電圧の信号（デジタル方形波）によって表されることの方が一般的である。一方、シートの不在は、相対的に低い電圧の信号で表される。このように、電圧検出器１１８によって出力されたアナログ信号を、紙の前縁と後縁の検出に使用するため、より一般的なデジタル方形波信号に変換することができる。図４は、抵抗を介してグランドに接続され、電圧検出器１１８によって出力されるアナログ信号（Ｖ測定）を受け取り、逆方形波信号（Ｖｏｕｔ）を出力する演算増幅器１４０を使用する１つの例示的な回路を示す。
【００２０】
図５は、紙端信号を形成する図４に示す回路によって出力されたアナログ信号（Ｖ測定）とこの方形波信号（Ｖｏｕｔ）との間の関係を示す。したがって、図５からわかるように、電圧検出器１１８が電圧降下を感知すると、図４に示す回路は方形波増加電圧レベル（Ｖｏｕｔ）を出力する。図５に示すように、方形波電圧信号（Ｖｏｕｔ）の立ち下がりエッジは、導電性要素１１２に接触する媒体シート１０６の前縁を表し、方形波電圧信号（Ｖｏｕｔ）の立ち下りエッジは、導電性要素１１２に接触する媒体シート１０６の後縁を表す。
【００２１】
紙１０６によって遮断されるスイッチ１１２は、ローラ、導電性ブラシ、またはワイヤであり得る。より具体的には、図６は、スイッチ１３２（回路１１０〜１１８で使用される前述の要素１１２と同様の別の導電性要素）を含む同様の媒体経路１００を示しているが、このスイッチは自重でベルト１１４上に静止ことができる、または、わずかなばね荷重でベルト１１４に付勢されている。
【００２２】
別の代替媒体経路１００の構造として、図７Ａ〜７Ｃは、回路１１０〜１１８で使用される前述の要素１１２、１３２と同様の導電性要素である導電性ローラ１３４を再度示す。図７Ｂは、導電性ローラ１３４がベルト１１４に接触する（それにより回路が完成する）ことを示す概略的な斜視図であり、図７Ｃは、導電性ローラ１３４をベルト１１４から離間して絶縁することによって回路を遮断する１枚の媒体シート１０６を示す同様の画像である。図７Ｂおよび図７Ｃはまた、媒体シートが拘束される位置合わせ線１３８を示し、真空マニホールド１０８が空気を吸引するベルト１１４内の穿孔１４２を示す。
【００２３】
シートが導電性要素１１２の１つと接触すると、前縁および後縁が検出されるので、本明細書のデバイスは、（色に関係なく）任意の媒体を検出することができ、ハードウェアの変更を最小限に抑えて、既存のプリンタで実装され、ベルトの変更もない。さらに、これらのデバイスは光検出器と比較して低コストであり、これらのデバイスが光センサと同じ方形波信号（Ｖｏｕｔ）を出力するので、既存のソフトウェアを変更しない。
【００２４】
図８は、例えばプリンタ、複写機、多機能機、多機能デバイス（ＭＦＤ）などを含むことができる本発明のプリンタ構造２０４の多くの構成要素を示す。印刷デバイス２０４は、コントローラ／有形プロセッサ２２４と、有形プロセッサ２２４および印刷デバイス２０４の外部のコンピュータネットワークに動作可能に接続された通信ポート（入力／出力）２１４を含む。また、印刷デバイス２０４は、グラフィカルユーザインターフェース（ＧＵＩ）アセンブリ２１２などの少なくとも１つのアクセサリ機能コンポーネントを含むことができる。ユーザは、グラフィカルユーザインターフェースまたはコントロールパネル２１２を介してメッセージ、指示、およびメニューオプションを受信し、指示を入力することができる。
【００２５】
入出力デバイス２１４は、印刷デバイス２０４との間の相互の通信に使用され、（現在知られているか将来開発されるかに関係なく任意の形式の）有線デバイスまたは無線デバイスを含む。有形のプロセッサ２２４は、印刷デバイス２０４の様々な動作を制御する。持続的で有形のコンピュータ記憶媒体デバイス２１０（光学的、磁気的、キャパシタベースなどであり、一時的な信号とは異なる）は、有形のプロセッサ２２４によって読み取り可能であり、有形のプロセッサ２２４が実行し、本明細書で記載したような様々な機能をコンピュータデバイスに実行させる命令を格納する。したがって、図８に示すように、本体ハウジングは、電源２１８によって交流（ＡＣ）電源２２０から供給される電力で動作する１つ以上の機能部品を有する。電源２１８は、共通の電力変換ユニット、蓄電要素（例えば、バッテリなど）などを含むことができる。
【００２６】
印刷デバイス２０４は、マーキング材料を使用する少なくとも１つのマーキングデバイス（印刷エンジン）２４０を含み、特殊な画像プロセッサ２２４（画像データの処理に特化しているので汎用コンピュータとは異なる）、すなわち、継続的に媒体または媒体シートをシート供給源２３０からマーキングデバイス２４０などに供給するよう位置決めされた上記媒体経路１００（上述した回路１１０〜１１８を含む）に、動作可能に接続されている。印刷エンジン２４０から各種マーキングを受け取った後、媒体シートは、選択的に各種印刷シートの折り重ね、ホチキス、分類などが可能なフィニッシャ２３４に移る。また、印刷デバイス２０４は、（電源２１８を介して）外部電源２２０から供給された電力に対しても動作する少なくとも１つのアクセサリ機能コンポーネント（スキャナ／ドキュメントハンドラ２３２（自動ドキュメントフィーダ（ＡＤＦ））など）を含むことができる。
【００２７】
１つ以上の印刷エンジン２４０は、現在知られているか将来開発されているかに関わらず、２次元または３次元印刷プロセスにおいて、マーキング材料（トナー、インク、プラスチック、有機材料など）を連続媒体、媒体シート、固定プラットフォームなどに塗布する任意のマーキングデバイスを例示することを意図している。印刷エンジン２４０は、例えば、静電トナープリンタ、インクジェットプリントヘッド、接触プリントヘッド、三次元プリンタなどを使用するデバイスを含むことができる。１つ以上の印刷エンジン２４０は、例えば、感光体ベルトまたは中間体ベルトを使用するデバイス、ないしは印刷媒体（例えば、インクジェットプリンタ、リボンベースの接触プリンタなど）に直接印刷するデバイスを含むことができる。
【００２８】
さらに、プロセッサ２２４は、電圧検出器１１８に動作可能に接続されている。プロセッサ２２４は、（電気回路の電圧が相対的に高い電圧から相対的に低い電圧に変化したときに）ベルト１１４上の媒体１０６のシートの前縁を識別することができ、（電気回路の電圧が相対的に低い電圧から相対的に高い電圧に変化したときに）ベルト１１４上の媒体シート１０６の後縁を識別することができる。相対的に高い電圧は、相対的に低い電圧の少なくとも２倍であり得る。したがって、プロセッサ２２４は、前縁および後縁に基づいて媒体シート１０６の位置を識別することができる。
【００２９】
いくつかの例示的な構造が添付の図面に示されているが、当業者であれば、図面は簡略化した概略図であり、以下に示される請求項は、例示されていない当該デバイスおよびシステムと共通で使用されるより多くの機能（またはより少ない機能の可能性もある）を含む。したがって、出願人は、以下に提示される請求項が添付の図面によって限定されることを意図しておらず、代わりに、添付の図面は、請求された特徴を実施することができるいくつかの方法を示すために提供されるだけである。
【００３０】
多くのコンピュータデバイスが上で説明されている。チップベースの中央処理装置（ＣＰＵ）、入出力デバイス（グラフィックユーザインターフェース（ＧＵＩ）、メモリ、コンパレータ、有形プロセッサなどを含む）を含むコンピュータデバイスが周知であり、  Ｄｅｌｌ  Ｃｏｍｐｕｔｅｒｓ、Ｒｏｕｎｄ  Ｒｏｃｋ  ＴＸ，  ＵＳＡ、およびＡｐｐｌｅ  Ｃｏｍｐｕｔｅｒ  Ｃｏ．、Ｃｕｐｅｒｔｉｎｏ  ＣＡ，ＵＳＡなどの製造業者によって製造される容易に入手可能なデバイスである。このようなコンピュータデバイスは、一般に、本明細書に記載されたシステムおよび方法の顕著な側面に読者の焦点を当てるために、詳細な説明は省略するが、入力／出力デバイス、電源、有形プロセッサ、電子記憶メモリ、配線などを含む。同様に、プリンタ、コピー機、スキャナおよび他の同様の周辺機器は、米国コネチカット州ノーウォークのゼロックスコーポレーションから入手可能であり、そのようなデバイスの詳細は、簡潔さと読者の焦点のためにここでは論じない。
【００３１】
本明細書で使用されるプリンタまたは印刷デバイスという用語は、デジタル複写機、製本機、ファクシミリ機、多機能機など、任意の目的のために印刷出力機能を実行するいずれの装置も包含する。プリンタ、印刷エンジンなどの詳細は周知であり、ここでは詳細に説明せず、本開示は、提示された顕著な特徴に焦点を当てている。本明細書のシステムおよび方法は、カラー、モノクロ、またはカラーまたはモノクロ画像データを印刷するシステムおよび方法を包含することができる。前述のシステムおよび方法はすべて、静電複写機および／またはゼログラフィック機および／またはプロセスに特に適用可能である。
【００３２】
また、「右」、「左」、「縦」、「横」、「上」、「下」、「上」、「下」、「下」、「下」、「上にある」、「上にある」、「平行になる」、「垂直になる」等は、それらが図面に配向され図示されている（別段の指示がない限り）相対位置であると理解される。「接触」、「上」、「直接接触」、「当接」、「直接隣接」などの用語は、少なくとも１つの要素が（他方の要素が上述した要素と離間することなく）他の要素と物理的に接触していることを意味する。さらに、自動または自動という用語は、プロセスが開始されると（マシンまたはユーザによって）、１つまたは複数のマシンが、任意のユーザからのさらなる入力なしにプロセスを実行することを意味する。本明細書の図面において、同一の識別番号は同一または類似の項目を示す。
【図１Ａ】
2019137556.tif 000003
【図１Ｂ】
2019137556.tif 000004
【図２Ａ】
2019137556.tif 000005
【図２Ｂ】
2019137556.tif 000006
【図３】
2019137556.tif 000007
【図４】
2019137556.tif 000008
【図５】
2019137556.tif 000009
【図６】
2019137556.tif 000010
【図７Ａ】
2019137556.tif 000011
【図７Ｂ】
2019137556.tif 000012
【図７Ｃ】
2019137556.tif 000013
【図８】
2019137556.tif 000014